(57)【要約】【課題】  ビス止めタイプのポスターパネルは、ポスターの大量の交換、頻繁な交換が面倒であった。【解決手段】  矩形の枠体と該枠体を覆う台板とにより成る基材と、該基材を覆う透明プラスチック板と、４個の飾りビスとにより構成されるポスターパネルを用いてポスターの交換を行なう方法であって、上側２個の飾りビスは永久磁石であり、該枠体の上側２隅若しくは台板はスチール製であるという構成のポスターパネルの該台板前面にある該透明プラスチック板の上側２個の飾りビスを取り外し、該透明プラスチック板の上端側を前方に湾曲させた後に、該台板の前面にポスターを配置させ、該透明プラスチック板を被せ、その後上側２個の透孔に、該永久磁石製の飾りビスを差し込み、固定する。【選択図】  図１
2018097303.tif 000002
【特許請求の範囲】
【請求項１】
矩形の枠体と該枠体を覆う台板とにより成る基材と、該基材を覆う透明プラスチック板と、４個の飾りビスとにより構成されるものであって、該透明プラスチック板の四隅の該枠体と対向する位置に透孔が穿設されており、また、４個の飾りビスの中、少なくとも上側２個の飾りビスは、径の違う２つの円柱を同軸で合体させた形状であって、その太径部の径は該透明プラスチック板に穿設された該透孔の径よりも大きく、その細径部の径は該透明プラスチック板に穿設された該透孔の径よりも小さく、該細径部の長さは該透明プラスチック板の厚さと実質的に同一であって、且つ、該上側２個の飾りビスは永久磁石であり、該枠体の上側２隅若しくは台板はスチール製であるという構成のポスターパネルの該台板前面にある該透明プラスチック板の上側２個の飾りビスを取り外し、該透明プラスチック板の上端側を前方に湾曲させた後に、該台板の前面にポスターを配置させ、該透明プラスチック板を被せ、その後上側２個の透孔に、該永久磁石製の飾りビスを差し込み、固定することを特徴とするポスターの掲示方法。
【請求項２】
該透明プラスチック板は、アクリル樹脂製である請求項１記載のポスターの掲示方法。
【請求項３】
該基材の背面側には脚が設けられているものである請求項１又は２記載のポスターの掲示方法。
【請求項４】
該上側２個の飾りビスは、ネオジウム磁石製である請求項１、２又は３記載のポスターの掲示方法。
【発明の詳細な説明】
【技術分野】
【０００１】
本発明は、台板と透明プラスチック板の間に挟みこむことでポスターを保持するタイプのポスターパネルにおいて、効率よくポスター交換をする方法に関するものである。
【背景技術】
【０００２】
立て看板式ポスターパネルは、通行人の注意をひくため、或いは顧客を案内するため、等々の用途に多種多数用いられている。
そのような立て看板式ポスターパネルの中に、台板と透明プラスチック板の間にポスターを挟みこみ、台板と透明プラスチック板とをビス止めすることでポスターを保持するタイプのものがある。
ビス止めは四隅でなされ、それらのビスと螺合させるため台板側にはナット穴が形成されることになる。透明プラスチック板にはビスのネジ部分の径より大きくビスの頭部分の径よりも小さい透孔が設けられており、ポスターを挟んだ状態でこれらの透孔を、台板側のビス孔に合わせ、ビス止めする。
【０００３】
このビスでポスターの保持が図れるということは、ビスのネジ部と頭部分の径の差であるところの段差が透明プラスチック板の表面を固定押圧することが前提であるので、その頭部分を小さくすることは難しい。
即ち、ビスを目立たなくするような構成とはし難い。
【０００４】
そこで美観を損なうことがないように、例えばクロムメッキを施すといった加工が加えられることが多い。そのようなビスは特に、化粧ビス、或いは飾りビスと呼ばれている。
【発明の概要】
【発明が解決しようとする課題】
【０００５】
ところが、ビス止め箇所が４箇所あるということは、ポスターを交換しようとする場合、まずこれら４個のビス全て、或いは少なくとも上の２つのビスを外さなければならない。そして交換が終わったらまたこれら４個（又は２個）のビス全てをネジ止めしなければならないことになる。
従って、ポスター交換作業が手間取ることとなっていた。
【課題を解決するための手段】
【０００６】
以上のような現状に鑑み鋭意研究の結果本発明者は遂に本発明方法を成したものであり、その特徴とするところは、矩形の枠体と該枠体を覆う台板とにより成る基材と、該基材を覆う透明プラスチック板と、４個の飾りビスとにより構成されるものであって、該透明アクリル板の四隅の該枠体と対向する位置に透孔が穿設されており、また、４個の飾りビスの中、少なくとも上側２個の飾りビスは、径の違う２つの円柱を同軸で合体させた形状であって、その太径部の径は該透明プラスチック板に穿設された該透孔の径よりも大きく、その細径部の径は該透明プラスチック板に穿設された該透孔の径よりも小さく、該細径部の長さは該透明プラスチック板の厚さと実質的に同一であって、且つ、該上側２個の飾りビスは永久磁石であり、該枠体の上側２隅若しくは台板はスチール製であるという構成のポスターパネルの該台板前面にある該透明プラスチック板の上側２個の飾りビスを取り外し、該透明プラスチック板の上端側を前方に湾曲させた後に、該台板の前面にポスターを配置させ、該透明プラスチック板を被せ、その後上側２個の透孔に、該永久磁石製の飾りビスを差し込み、固定する点にある。
【０００７】
本発明方法を実施する際に用いるポスターパネルは、基材、透明プラスチック板、及び飾りビスを構成要素とするものである。
基材は、矩形枠体とこれを覆う台板とによって構成されている。なお、台板が矩形枠体の囲繞する部分を全て覆うようにしても良いが、台板をこの囲繞部より多少狭いものとしても良い。例えば、矩形枠体の幅と等しい幅で、矩形枠体の高さよりも短い高さの台板の上端を、矩形型枠の上端にそろえるようにして基材を構成するようにしても良い。この場合当然、矩形型枠の下端側は、台板によってカバーされないことになる。
【０００８】
またこのポスターパネルは、基材側を壁面に固定するという形態のものであっても良いが、基材背面側に脚を付けて立て看板としても良い。その場合の脚の形状構造については従来の立て看板タイプのポスターパネルと同様のものでよく、本発明においては何ら限定しないものとする。
【０００９】
透明プラスチック板は、背部に配置されるポスターが正面側から認識できるだけの透明性を有し、また、自身の保形が維持できるばかりでなくその背部に配置されるポスターをも保持し得るだけのコシを有するプラスチック製の板体である。透明プラスチック板の厚さについては特に限定しないが、実用上２〜３ｍｍが好ましい。
材質としては、ポリプロピレン、ポリカーボネート、ポリエチレンテレフタレート、ポリスチレン、等々様々なものが採用可能であるが、透明度、剛性、価格等を総合的に勘案すると、アクリル樹脂（アクリル酸エステル又はメタクリル酸エステルの重合体である合成樹脂）が好適である。
【００１０】
また「透明」の概念には、「無色透明」以外に、例えば着色剤を混練して有色としたもの、顔料を入れることで透明度を下げ半透明にしたものも含むものとする。
【００１１】
透明プラスチック板は基材前面に着脱自在に固定されるわけであるが、その固定を担うのが「飾りビス」である。
固定は透明プラスチック板の四隅に当たる位置で、その位置に穿設された４つの透孔を利用して行なわれる。本発明方法において用いられるポスターパネルの透明プラスチック板は四隅において固定されることを要件とするが四隅以外の箇所での固定を付加的に追加することを否定するものではない。透明プラスチック板が大型の場合には四隅以外の、例えば辺中央付近に透孔を設け、ここでも固定を図るのが好ましい場合もある。
但し、ポスター交換作業に際しては、この透明プラスチック板が多少は可撓性を有することを利用し、上側２箇所の飾りビスだけを外して作業を行なう。
【００１２】
本発明方法は、この上側２箇所の飾りビスの着脱だけでポスター交換作業を行なうこと、且つ、飾りビスがネジ式でなく、ただ嵌め込むだけで取り付けが完了すること、に特徴があると言える。下側２箇所の飾りビスは、ポスター交換作業時には外す必要がないので、従来と同様のネジ式飾りビスで良いことになる。
【００１３】
上側飾りビスは、径の違う２つの円柱を同軸で合体させた形状である。よって、太径部分と細径部分とが存在することになり、段差が形成される。
【００１４】
また飾りビスの太径部の径は該透明プラスチック板に穿設された該透孔の径よりも大きく、その細径部の径は該透明プラスチック板に穿設された該透孔の径よりも小さい。よって飾りビスは、該透孔に差し込めるが、段差部で止まり貫通させることができない構造となる。
【００１５】
更にこの飾りビスの細径部の長さは、該透明プラスチック板の厚さと実質的に同一としている。従って、この飾りビスを透明プラスチック板の透孔の前面側から差し入れると、細径部の端面が基材の前面に接触することになる。
加えて、上側２個の飾りビスは永久磁石製であり、該枠体の上側２隅若しくは台板はスチール製としたことにより、単に飾りビスを差し込むだけで、透明プラスチック板を基材に固定することができることになる。永久磁石の種類については特に限定しないが、本発明者が種々試作実験した範囲では、磁気エネルギー積が高いネオジウム磁石が最適であった。
【００１６】
なお、飾りビスの細径部の長さと、透明プラスチック板の厚さとが実質的に同一であるので、基材前面に透明プラスチック板を配置し、その透孔に飾りビスを差し込むと、飾りビス細径部の端面が基材の前面に接触することを既述した。そしてその場合、基材と透明プラスチック板の間にポスターを挟み込むと、該ポスターの厚み分だけ飾りビス細径部の端面が基材の前面から離反するという計算となるが、現実にはポスターの厚みは小さいものであるし、離反距離がごく僅かであれば固定力は残っているし、透明プラスック板の外形はポスターの外形よりも一回り大きいのが普通であるため透孔位置では基材前面に透明プラスチック板が接触することが多いし、磁石離反が支障となることはない。
【００１７】
また、透明プラスック板の材質を剛性の高いアクリル樹脂とせず、柔軟なもの（例えばポリ塩化ビニル樹脂）とした場合には、基材と透明プラスチック板の間にその奥行き長さに限界はあるもののある程度立体的な物品を挟み込むことができる。
例えば柔軟な透明プラスチック板の下端側を基材下端側に固定した状態で、この物品を挟み込んで覆うと、透明プラスチック板は物品形状に添って湾曲することになる。その結果、４個の透孔の上下間距離が短くなる。
その場合、即ち上下の透孔の離反距離が短くなるという場合、従来のネジ止めタイプのポスターパネルだと、基板側にもビスがあって上下のビス間距離が定まっているために、このような使用は不可能である。ところが本発明の場合には、基材が磁性体、即ちスチールでさえあれば、自由に対応できる。それを可能とするため、本発明においては該枠体の上側２隅若しくは台板をスチール製とする。最も単純な構造は、台板それ自体をスチール板製としたものである。但し、錆が発生する可能性もあり錆が発生すると美観上好ましくないので、防錆処理を施しておくのが好ましい。
【発明の効果】
【００１８】
以上述べた通り本発明方法は、矩形の枠体と該枠体を覆う台板とにより成る基材と、該基材を覆う透明プラスチック板と、４個の飾りビスとにより構成されるものであって、該透明アクリル板の四隅の該枠体と対向する位置に透孔が穿設されており、また、４個の飾りビスの中、少なくとも上側２個の飾りビスは、径の違う２つの円柱を同軸で合体させた形状であって、その太径部の径は該透明プラスチック板に穿設された該透孔の径よりも大きく、その細径部の径は該透明プラスチック板に穿設された該透孔の径よりも小さく、該細径部の長さは該透明プラスチック板の厚さと実質的に同一であって、且つ、該上側２個の飾りビスは永久磁石であり、該枠体の上側２隅若しくは台板はスチール製であるという構成のポスターパネルの該台板前面にポスターを配置させた状態で該透明プラスチック板を被せ、その後少なくとも上側２個の透孔に、該永久磁石製の飾りビスを差し込み、固定することを特徴とするポスター掲示方法であり、例えば、パチンコホール、映画館等に多数設置されている壁掛けタイプや立て看板タイプのパネル等に収められている多数枚のポスターを一新するという作業は、定期的に行なわれるものであるが、ネジ止めに要する時間と労力が省略できるので、その交換作業が飛躍的に短くできるという効果をもたらす、極めて高度な発明である。
【図面の簡単な説明】
【００１９】
【図１】本発明方法を実施する際に用いるポスターパネルの一例を示す概略分解斜視図である。
【図２】（ａ）（ｂ）はそれぞれ、図１で示したポスターパネルの一例に用いられる飾りビスの構造を示すための一部を断面した正面図である。
【図３】（ａ）（ｂ）はそれぞれ、図２で示したビスを基材に固定した状態を概略的に示す断面図である。
【図４】本発明方法を実施する際に用いるポスターパネルの他の例の一つを概略的に示す斜視図である。
【図５】（ａ）（ｂ）（ｃ）は、本発明方法の一例を経時的且つ概略的に示す概略断面図である。
【発明を実施するための最良の形態】
【００２０】
以下実施の形態に基づいて、本発明をより詳細に説明する。
図１は、本発明方法を実施する際に用いるポスターパネル１（以下本発明用パネル１という）の一例を示すものである。図より明らかなように本発明用パネル１は、基材２、透明プラスチック板３、４個の飾りビス４とにより構成されている。基材２と透明プラスチック板３の間にはポスターＰが収められるが本図では描出を省略している。
【００２１】
基材２は、矩形枠体２１の前面を覆うべく台板２２を固着したものであり、本例の場合台板２２は、矩形枠体２１の前面を完全に覆っている。また本例の基材２の材質は、矩形枠体２１に関してはアルミサッシに用いられているものと同じアルミニウム合金製であり、台板２２は表面に防錆処理が施されたスチール製である。
【００２２】
透明プラスチック板３は、厚さが２．５ｍｍのアクリル樹脂製である。本例の場合透明且つ無色のものを用いている。その四隅には、径１６ｍｍの透孔３１が穿設されている。これらの透孔３１の取設位置は、基材２の矩形枠体２１に対向するよう設計されている。
なお、従来のポスターパネルにおける透明プラスチック板の中には周縁に不透明帯状部分を設け、収めるポスターに縁取りがなされるようにするものが見られる。本発明の透明プラスチック板３に対してそうした加工を施しても良いものとする（図示せず）。
【００２３】
飾りビス４は、本例の場合では２種ある。図２（ａ）（ｂ）はそれを示したものであり、同図（ａ）は細径部４１１と太径部４１２を有する磁石ビス４１、同図（ｂ）はネジ溝４２１を有する従来タイプビス４２である。そして４個の中、上側の２個には磁石ビス４１が、下側の２個には従来タイプビス４２が用いられる。
【００２４】
磁石ビス４１の細径部４１１部分の長さは２．５ｍｍ、径は１５．９ｍｍであって、透明プラスチック板３の厚さに等しく、透孔３１の径よりも僅かに小さい。一方、太径部４１２の径は２１．８ｍｍであって、透明プラスチック板３の径よりも大きい。また本例では磁石の種類として、ネオジウムを採用した。ネオジウム磁石は、極めて高い磁気エネルギー積を持つ磁石である。錆びやすい、熱（８０℃以上）によって消磁しやすい、といった欠点はあるものの、ポスターパネル設置箇所の環境が高温となる可能性が低いこと、ニッケルメッキ処理を施せば防錆が図れることを勘案すると、欠点露呈の危険性は低く、現状では最適な磁石だと思われる。
なお、磁石ビス４１は、全４個のビス中本例においては上側２個で用いたが、４個全てを磁石ビス４１用としても良い（図示せず）。
【００２５】
図３（ａ）（ｂ）は、磁石ビス４１と従来タイプビス４２をそれぞれ基材２に固定した状態を示すものであり、同図（ａ）は磁石ビス４１、同図（ｂ）は従来タイプビス４２が固定されている状態である。
同図（ａ）の場合には、基材２側にビス止めのための構造というものが存在しないのに対し、同図（ｂ）の場合には基材２にボルト５が固設されており、透明プラスチック板３の透孔３１がこのボルト５に正確に嵌めこめるものでないと機能しない。
【００２６】
図４は、本発明方法を実施する際に用いるポスターパネルの他例の一つを概略的に示すものであり、立て看板として使用する例である。
本例の場合台板２２は矩形枠体２１全面を覆っておらず、下側に隙間６が設けられている。更に、立て看板として用いることができるように折り畳み式の脚２３が設けられている。
【００２７】
図５は、本発明用パネル１を用いて、ポスターＰを交換する作業を概略的に示すものである。
古いポスター（図示せず）を取り出すために、まず上側２個の飾りビス（磁石ビス４１）を外す。この作業は、単にビス又は透明プラスチック板３の上端を前方に引っ張るだけである。そうすることで磁石ビス４１と基材２が離反するので、簡単に外れる。同図（ａ）は、古いポスターが取り外された状態を示す。
【００２８】
次に、新しいポスターＰをセットし、透明プラスチック板３上端を基材２に接触させる。同図（ｂ）は接触した状態を示すものである。
そして、透明プラスチック板３の透孔３１に磁石ビス４１を嵌め込む〔同図（ｃ）〕。嵌め込むと磁力で係止される。
【符号の説明】
【００２９】
１      本発明方法に用いるポスターパネル
２      基材
２１    矩形枠体
２２    台板
２３    脚
３      透明プラスチック板
３１    透孔
４      飾りビス
４１    磁石ビス
４１１  細径部
４１２  太径部
４２    従来タイプビス
４２１  ネジ溝
５      ボルト
６      隙間
Ｐ      ポスター
【図１】
2018097303.tif 000003
【図２】
2018097303.tif 000004
【図３】
2018097303.tif 000005
【図４】
2018097303.tif 000006
【図５】
2018097303.tif 000007